(57)【要約】【課題】薄型化してもドームスイッチを確実に操作できるキーシートを提供する。【解決手段】キーシートを備えた携帯端末機器は、キートップシートと、前記キートップシートの厚み方向に沿った片側に配置されたプッシャーシートと、前記プッシャーシートにおける前記キートップシートとは反対側の面に設けられた押し子とを備え、前記押し子が、前記プッシャーシートに接触する基端面と、前記基端面に対して平行、かつ、前記基端面とは反対側の方向を向く先端面とを有し、前記基端面の面積が前記先端面の面積より大きい。【選択図】図２
2010080208.tif 000002
【特許請求の範囲】
【請求項１】
キートップシートと、
前記キートップシートの厚み方向に沿った片側に配置されたプッシャーシートと、
前記プッシャーシートにおける前記キートップシートとは反対側の面に設けられた押し子とを備え、
前記押し子が、前記プッシャーシートに接触する基端面と、前記基端面に対して平行、かつ、前記基端面とは反対側の方向を向く先端面とを有し、
前記基端面の面積が前記先端面の面積より大きいキーシートを備えた携帯端末機器。
【請求項２】
請求項１に記載のキーシートであって、
前記押し子の基端面の中心と、前記押し子の先端面の中心とが、前記キートップシート及び前記プッシャーシートの厚み方向に沿った同一線上に配置されているキーシートを備えた携帯端末機器。
【請求項３】
請求項１及び請求項２のうちのいずれかに記載のキーシートであって、
前記キートップシートと前記プッシャーシートとの間に介装されたスライドシートを有し、
前記キートップシート及び前記プッシャーシートに対して前記スライドシートが面方向に沿って移動可能なキーシートを備えた携帯端末機器。
【発明の詳細な説明】
【技術分野】
【０００１】
本発明は、キーシートを備えた携帯端末機器に関する。
【背景技術】
【０００２】
近年、携帯電話等の携帯端末機器は、デザイン性及び携帯性の観点から薄型化が求められている。薄型化の要求に対して、操作部としてキーシートが採用された携帯端末機器が提案されている(例えば特許文献１、２参照)。
【０００３】
図４（ａ）にキーシート６５１を示す。
図４（ａ）に示すように、キーシート６５１は、キートップシート６１６と、プッシャーシート６１９を張り合わせた構成となっている。プッシャーシート６１９には押し子６２０が設けられており、キー回路基板６０４の上に配置されている。
【０００４】
キートップシート６１６は、使用者が文字、数字、記号等を視認可能な印刷等が施されている印刷部６１６ａを備えている。
押し子６２０は、略柱形状とされ、その軸線がキートップシート６１６及びプッシャーシート６１９の厚み方向に沿うように、一方の基端面（図４（ａ）中、上端面）がプッシャーシート６１９に接触して固定されている。
キー回路基板６０４は、ドームスイッチを構成するダイアフラム６０５が実装されている。押し子６２０は、他方の先端面（図４（ａ）中、下端面）がダイアフラム６０５の頂部に接触するように設けられている。また、図４（ａ）に示すように、押し子６２０の基端面は、先端面とほぼ同じ面積である。
【０００５】
ここで、使用者がキートップシート６１６の印刷部６１６ａを指で押すと、キートップシート６１６は、キー回路基板６０４に向かって湾曲変形する。その変形に伴い、プッシャーシート６１９及び押し子６２０を介して頂部が陥没するようにダイアフラム６０５が変形する。そのため、ドームスイッチの接点が接触して導通が得られる。
以上のようなキーシート６５１は、ダイアフラム６０５の頂部が陥没するように変形することにより使用者がクリック感を得られ、使用者が印刷部６１６ａを押す指の力を緩めると、ダイアフラム６０５が初期形状に復帰しようとする弾性力により、使用者が再びクリック感を得られる。
【０００６】
【特許文献１】特開２００１−２９６９５８号公報
【特許文献２】特開２００７−４８６０２号公報
【発明の開示】
【発明が解決しようとする課題】
【０００７】
ところで、前述したキーシート６５１は、携帯端末機器をさらに薄型化するために一定以下に薄型化すると、キートップシート及びプッシャーシートの剛性が低くなる。
そして、キーシート６５１は、使用者の指とキートップシート６１６との接触面積に比較して、プッシャーシート６１９と押し子６２０の基端面との接触面積が小さい。そのため、図６（ｂ）に示すように、使用者が指で印刷部６１６ａを押すと、使用者の指からキートップシートに加えられる力の一部が、キートップシート６１６及びプッシャーシート６１９における押し子６２０の周辺をダイアフラム６０５に向かって変形させるために用いられる。そのため、使用者の指の力が押し子６２０に対して確実に伝達され難い。
【０００８】
従って、キーシート６５１を薄型化すると、ドームスイッチが確実に動作しない可能性がある。
【０００９】
本発明の目的は、薄型化してもドームスイッチを確実に操作できるキーシートを備えた携帯端末機器を提供することである。
【課題を解決するための手段】
【００１０】
本発明は、キートップシートと、前記キートップシートの厚み方向に沿った片側に配置されたプッシャーシートと、前記プッシャーシートにおける前記キートップシートとは反対側の面に設けられた押し子とを備え、前記押し子が、前記プッシャーシートに接触する基端面と、前記基端面に対して平行、かつ、前記基端面とは反対側の方向を向く先端面とを有し、前記基端面の面積が前記先端面の面積より大きいキーシートを備えた携帯端末機器を提供する。
【００１１】
ここで、押し子としては、例えば段付柱形状、錐形状や、あるいはプッシャーシートに接触する平板状の部材の任意位置に柱部材を立設させた形状等を例示できる。
また、基端面及び先端面としては、形状が任意であり、互いに相似形状である必要はない。
【００１２】
本発明においては、押し子における基端面の面積が先端面の面積より大きいため、基端面の面積と先端面の面積とが等しい押し子を採用した場合に比較して、使用者の指の力を押し子が大面積で受けることになる。
すなわち、本発明においては、キートップシート及びプッシャーシーが薄型化に伴って剛性が低くなっても、使用者の指の力がキートップシート及びプッシャーシートにおける押し子の周辺を変形させるために用いられるという力の損失が従来に比較して少なくなり、例えばドームスイッチ等が押し子により確実に動作することになる。
【００１３】
また、本発明は、前記押し子の基端面の中心と、前記押し子の先端面の中心とが、前記キートップシート及び前記プッシャーシートの厚み方向に沿った同一線上に配置されているキーシートを備えた携帯端末機器を提供する。
【００１４】
ここで、基端面の中心及び先端面の中心としては、例えば基端面あるいは先端面が円形である場合は円弧中心であり、基端面あるいは先端面が矩形状である場合は対角線の交点を例示できる。
【００１５】
本発明においては、基端面の中心及び先端面の中心がキートップシート及びプッシャーシートの厚み方向に沿った同一線上に配置されている。このため、同一線上に例えばドームスイッチを構成するダイアフラムの頂部が配置されていれば、基端面の中心及び先端面の中心が、キートップシート及びプッシャーシートの厚み方向に沿った同一線上に配置されていない場合に比較して、ダイアフラムの頂部に対して使用者の指による力が直線的に伝達される。したがって、ドームスイッチを確実に操作できることになる。
【００１６】
さらに、本発明は、前記キートップシートと前記プッシャーシートとの間に介装されたスライドシートを有し、前記キートップシート及び前記プッシャーシートに対して前記スライドシートが面方向に沿って移動可能なキーシートを備えた携帯端末機器を提供する。
【発明の効果】
【００１７】
本発明に係るキーシートを備えた携帯端末機器によれば、薄型化してもドームスイッチを確実に操作できる。
【発明を実施するための最良の形態】
【００１８】
以下、本発明の実施の形態について、図面を参照して説明する。
【００１９】
（実施の形態１）
本発明の実施の形態１に係るキーシートを、携帯端末機器の一例である折り畳み式携帯電話機１００に適用した場合について、図１〜図２を参照して説明する。図１は、折り畳み式携帯電話機１００の使用状態を示しており、図１（ａ）は、第二の筐体１０２を第一の筐体１０１に対して開いた状態を示す図であり、図１（ｂ）は、第一の筐体１０１を第一の筐体１０２に対して開いた状態を示す図である。
【００２０】
図１（ａ）を参照し、折り畳み式携帯電話機１００の構成を説明する。
第一の筐体１０１は、操作部を構成するキーシート１５１を備え、図示しない軸受部で、第一回動軸１０９を回転可能に支持している。
第二の筐体１０２は、第二回動軸１１０に回動自在に取り付けられている。
連結部１０３は、軸保持部１０３ａ、１０３ｂにより、第一回動軸１０９を連結部１０３に一体に固定している。また、連結部１０３の片隅には、第二回動軸１１０（図中破線）が、第一回動軸１０９に直交するように設けてある。
キートップシート１１６は、第一の筐体１０１の上面に位置するキーシート１５１に設けられている。キートップシート１１６には透明な表示窓１１６ａと不透明な部分１１６ｂを設けて、表示窓１１６ａから操作用の文字や記号が見えるように構成している。
液晶表示部１５２は、例えば、表示窓１１６ａから使用者が操作用の文字や記号を押した場合、その文字や記号を表示する。
【００２１】
ここで、図１（ａ）に示すように、折り畳み式携帯電話機１００では、第二の筐体１０２を第一の筐体１０１に対して第一回動軸を回転させることにより開くと、キーシート１５１のテンキーの数字については、電話機として使えるように、規格で定められた電話機用のテンキー配列で、第１の方向を上下とする向きで表示される。
また、図１（ｂ）に示すように、折り畳み式携帯電話機１００では、第一の筐体１０１を第一の筐体１０２に対して第二回動軸を回転させることにより開くと、キーシート１５１のテンキーの数字については、テレビ放送受信機として使いやすいように、第一列目は左から「１」、「２」、「３」、「４」と並んでいる。第二列目は左から「５」、「６」、「７」、「８」と並んでいる。そして、第三列目は「９」、「１０」、「１１」、「１２」と並んでいる。数字の向きも筐体の第２の方向を上下とする向きで表示される。なお、第一の筐体１０１に対して連結部３は閉じている。
【００２２】
上述のように、折り畳み式携帯電話機１００では、第二の筐体１０２が第一の筐体１０１に対して第一回動軸を回転させることにより開いた場合、あるいは第二回同軸を回転させた場合、それぞれにおいて、液晶表示部１５２の表示の向きに適した向きで操作部１５１の印字文字が見えるようにしている。
【００２３】
次に、図２を用いて、キーシート１５１に加えられた使用者の指の力が、押し子１２０にどのように伝わるかを説明する。図２（ａ）は、図１（ｂ）のII−II断面図であり、キーシート１５１の部分断面図である。図２（ｂ）は、キーシート１５１のテンキー部分のキートップシート１１６の表示窓１１６ａを指で押した状態を示す図である。
【００２４】
図２（ａ）を参照して、実施の形態１に係るキーシート１５１の構成を説明する。
キーシート１５１は、キートップシート１１６と、スライドシート１１３及びプッシャーシート１１９を張り合わせた構成となっている。プッシャーシート１１９には、押し子１２０が設けられており、キー回路基板１０４の上に配置されている。
【００２５】
キートップシート１１６は、使用者がスライドシート１１３に表記されている文字、数字、記号等を視認可能な表示窓１１６ａが設けられている。
【００２６】
スライドシート１１３は、キートップシート１１６とプッシャーシート１１９との間に介装され、キートップシート１１６及びプッシャーシート１１９に対して、面方向に沿って移動可能に構成されている。スライドシート１１３は、折り畳み式携帯電話機１００の各筐体１０１、１０２が開いている向きに応じて、文字、数字、記号等が表示窓１１６ａから見えるように構成されている。
【００２７】
プッシャーシート１１９は、キートップシート１１６あるいはスライドシート１１３とは反対側の面に、押し子１２０を備えている。
【００２８】
押し子１２０は、略柱形状の大径部１２０ａ及び小径部１２０ｂから構成される。その軸線がキートップシート１１６及びプッシャーシート１１９の厚み方向に沿うように、大径部１２０ａの基端面（図２（ａ）中、上端面）がプッシャーシート１１９に接触して固定され、小径部１２０ｂの先端面（図２（ａ）中、下端面）がダイアフラム１０５の頂部に接触するように設けられている。大径部１２０ａの基端面の面積は、小径部１２０ｂの先端面の面積より大きい。大径部１２０ａの基端面の中心と、小径部１２０ｂの先端面の中心とが、キートップシート１１６及びプッシャーシート１１９の厚み方向に沿った同一線上に配置されている。
なお、実施の形態１の押し子１２０の大径部１２０ａ及び小径部１２０ｂは、一体に形成されているが、別体として形成されてもよい。
【００２９】
キー回路基板１０４は、ドームスイッチを構成するダイアフラム１０５が実装されている。
【００３０】
ここで、図２（ｂ）に示すように、使用者がキートップシート１１６の表示窓１１６ａを指で押すと、キートップシート１１６は、キー回路基板１０４に向かって変形する。そして、スライドシート１１３、プッシャーシート１１９、及び押し子１２０を介して、頂部が陥没するようにダイアフラム１０５が変形する。
その際、キートップシート１１６を指で押した力は、スライドシート１１３との隙間をつぶしながら、スライドシート１１３を変形させる。さらに、キートップシート１１６を指で押した力は、押し子１２０の基端面が広いため、プッシャーシート１１９の局所的な変形を抑えることで、押し子１２０の基端面を保ちながら、押し子１２０を押すことになる。そのため、ダイアフラム１０５を反転させてクリック感を発生させるための力のロスが少なくなり、容易に、ダイアフラム１０５のドームスイッチの接点が、キー回路基板上１０４上の接点と接触して導通が得られる。
【００３１】
上述のように、実施の形態１のキーシート１５１は、ダイアフラム１０５の頂部が陥没するように変形することにより、使用者がクリック感を得られる。そして、使用者が表示窓２１６ａを押す指の力を緩めると、ダイアフラム１０５が初期形状に復帰しようとする弾性力により使用者が再びクリック感を得られる。
【００３２】
また、実施の形態１の押し子１２０は、略柱形状の大径部１２０ａ及び小径部１２０ｂからなる多段で構成されているが、これに限定するものではない。押し子１２０としては、例えば段付柱形状、錐形状や、あるいはプッシャーシートに接触する平板状の部材の任意位置に柱部材を立設させた形状等を例示できる。また、基端面及び先端面としては、形状が任意であり、互いに相似形状である必要はない。
また、押し子１２０を２つの部品に分け、一部をプッシャーシート側に取り付け残りの部分をダイアフラム１０５に貼り付ける構成にしても同様の効果が得られる。
【００３３】
（実施の形態２）
次に、本発明の実施の形態２に係るキーシートを説明する。
ここで、実施の形態２におけるキーシート２５１が、実施の形態１におけるキーシート１５１と異なる点は、キーシートの一部を構成するスライドシートがない点である。そのため、実施の形態２におけるキーシート２５１は、キートップシート２１６、プッシャーシート２１９及び押し子２２０から構成される。
【００３４】
図３を用いて、使用者の指の力が、キーシート２５１の押し子２２０にどのように伝わるかを説明する。図３（ａ）は、キーシート２５１の部分断面図である。図３（ｂ）は、キーシート２５１のテンキー部分のキートップシート２１６の印刷部２１６ａを指で押した状態を示す図である。
【００３５】
図３（ａ）を参照して、実施の形態２に係るキーシート２５１の構成を説明する。
図３（ａ）に示すように、キーシート２５１は、キートップシート２１６と、キープッシャーシート２１９を張り合わせた構成となっている。プッシャーシート２１９には、押し子２２０が設けられており、キー回路基板２０４の上に配置されている。
【００３６】
キートップシート２１６は、使用者が文字、数字、記号等を視認可能な印刷等が施されている印刷部２１６ａを備えている。
【００３７】
プッシャーシート２１９は、キートップシート２１６とは反対側の面に、押し子２２０を備える。
【００３８】
押し子２２０は、略柱形状の大径部２２０ａ及び小径部２２０ｂから構成される。とされ、その軸線がキートップシート２１６及びプッシャーシート２１９の厚み方向に沿うように、大径部２２０ａの基端面（図３（ａ）中、上端面）がプッシャーシート２１９に接触して固定され、小径部２２０ｂの先端面（図３（ａ）中、下端面）がダイアフラム２０５の頂部に接触するように設けられている。押し子２２０の基端面の面積は、先端面の面積より大きい。また、大径部２２０ａの基端面の中心と、小径部２２０ｂの先端面の中心とが、キートップシート２１６及びプッシャーシート２１９の厚み方向に沿った同一線上に配置されている。
なお、実施の形態２の押し子２２０の大径部２２０ａ及び小径部２２０ｂは、一体に形成されているが、別体として形成されてもよい。
【００３９】
キー回路基板２０４は、ドームスイッチを構成するダイアフラム２０５が実装されている。
【００４０】
ここで、図３（ｂ）に示すように、使用者がキートップシート２１６の印刷部２１６ａを指で押すと、キートップシート２１６は、キー回路基板２０４に向かって変形する。そして、プッシャーシート２１９及び押し子２２０を介して、頂部が陥没するようにダイアフラム２０５が変形する。
その際、キートップシート２１６を指で押した力は、プッシャーシート２１９に設けられている押し子２２０の基端面が広いため、プッシャーシート２１９の局所的な変形を抑えつつ、直接ダイアフラム２０５を変形させることができる。そのため、ダイアフラム２０５のドームスイッチの接点が、キー回路基板上２０４上の接点と容易に接触して導通が得られる。
【００４１】
上述のように、実施の形態２のキーシート２５１は、ダイアフラム２０５の頂部が陥没するように変形することにより、使用者がクリック感を得られる。そして、使用者が表示窓２１６ａを押す指の力を緩めると、ダイアフラム２０５が初期形状に復帰しようとする弾性力により使用者が再びクリック感を得られる。
【００４２】
また、実施の形態２の押し子２２０は、略柱形状の大径部２２０ａ及び小径部２２０ｂからなる多段で構成されているが、これに限定するものではない。押し子２２０としては、例えば段付柱形状、錐形状や、あるいはプッシャーシートに接触する平板状の部材の任意位置に柱部材を立設させた形状等を例示できる。また、基端面及び先端面としては、形状が任意であり、互いに相似形状である必要はない。
また、押し子２２０を２つの部品に分け、一部をプッシャーシート側に取り付け残りの部分をダイアフラム１０５に貼り付ける構成にしても、同様の効果が得られる。
【産業上の利用可能性】
【００４３】
本発明に係るキーシートを備えた携帯端末機器は、薄型化してもドームスイッチを確実に操作できるので、携帯端末機器に有用である。
【図面の簡単な説明】
【００４４】
【図１】本発明の実施の形態１に係るキーシートを折り畳み式携帯電話機１００に適用した図であり、図１（ａ）は、折り畳み式携帯電話機１００の第二の筐体１０２を第一の筐体１０１に対して開いた状態を示す図であり、図１（ｂ）は、折り畳み式携帯電話機１００の第一の筐体１０１を第一の筐体１０２に対して開いた状態を示す図
【図２】図２（ａ）は、図１（ｂ）のII−II断面図、図２（ｂ）は、本発明の実施の形態１に係るキーシートを指で押した状態を示す図
【図３】図３（ａ）は、本発明の実施の形態２に係るキーシートの部分断面図、図３（ｂ）は、本発明の実施の形態２に係るキーシートを指で押した状態を示す図
【図４】図４（ａ）は、従来例のおけるキーシートの部分断面図であり、図４（ｂ）は、従来例のおけるキーシートを指で押した状態を示す図
【符号の説明】
【００４５】
１００  折り畳み式携帯電話機
１０１  第一の筐体
１０２  第二の筐体
１０３  連結部
１０３ａ、１０３ｂ  軸保持部
１０４、２０４  キー回路基板
１０５、２０５  ダイアフラム（ドームスイッチ）
１０９  第一回動軸
１１０  第二回動軸
１１３  スライドシート
１１６、２１６、６１６  キートップシート
１１６ａ、２１６ａ、６１６ａ  透明な表示窓
６１６ｂ  不透明な部分
１１９、２１９、６１９  プッシャーシート
１２０、２２０、６２０  押し子
１５１、２５１、６５１  キーシート（操作部）
１５２  表示部
【図１】
2010080208.tif 000003
【図２】
2010080208.tif 000004
【図３】
2010080208.tif 000005
【図４】
2010080208.tif 000006